(57)【特許請求の範囲】
【請求項１】
編物により構成されたグランド部分と、
該グランド部分で囲まれたメッシュホール部分と、
該メッシュホール部分に配置された複数本の横断糸とを備え、
通気度が１００ｃｃ／平方センチメートル／ｓｅｃ以上、紫外線遮蔽率が８０％以上であることを特徴とするメッシュ生地。
【請求項２】
前記横断糸を交差させて格子状としたことを特徴とする請求項１記載のメッシュ生地。
【請求項３】
前記グランド部分がフロント糸、バック糸および第２のミドル糸により構成され、前記横断糸がミドル糸で構成された４層構造であることを特徴とする請求項１記載のメッシュ生地。
【請求項４】
引裂強力が７Ｎ×７Ｎ以上、破裂強力が３００ｋＰａ以上であることを特徴とする請求項１ないし３のいずれかに記載のメッシュ生地。
【請求項５】
請求項１ないし４のいずれかに記載のメッシュ生地により構成されたことを特徴とするメッシュ衣服。
【発明の詳細な説明】
【技術分野】
【０００１】
本発明は、メッシュ生地およびメッシュ衣服に関し、特に、通気性および遮光性に優れたメッシュ生地およびこのメッシュ生地を用いたメッシュ衣服に関するものである。
【背景技術】
【０００２】
屋外で活動する人にとって、「暑い」という感覚は、直射日光などによる外気温度の上昇による要因のほか、活動などにより体温が上昇することにより人体から発生した熱気を帯びた湿気が衣服内で滞留し、人体の皮膚が持つラジエータ機能を損なうことにより生じる。そこで、このような直射日光の影響を抑制しうるように、遮光性を持たせるとともに、外から新たな空気を継続的に流入させて熱湿気を外に発散させ得るように、通気性を持たせた生地の衣服であれば暑さ対策に有効である。
【０００３】
従来、運動着や作業服に用いられる、冷却感に優れる生地として、メッシュホール部分と編織物からなるグランド部分からなる生地が開示されている（例えば特許文献１を参照）。
【先行技術文献】
【特許文献】
【０００４】
【特許文献１】特開２００９−１３８３１０号公報
【発明の概要】
【発明が解決しようとする課題】
【０００５】
特許文献１に記載されているような、メッシュホール部分を備えた生地を使用した衣服は、通気性は比較的良好であるが、メッシュホール部分から直射日光を通しやすく、遮光性に難点がある。このような傾向は、メッシュホール部分の占める面積を大きくするほど著しく、生地に通気性と遮光性の両方の機能を備えることは困難であった。そのため、このようなメッシュ生地を用いた衣服を屋外で着用した場合、直射日光が人体に当たり、冷却感が損なわれるばかりでなく、外部からメッシュ衣服の内部が透けて見えるという問題も生じるため、メッシュ衣服を屋外で着用することは困難であった。
【０００６】
さらにまた、メッシュ生地を使用したメッシュ衣服を作業服とする場合、高い強度が要求されるが、メッシュホールが大きいメッシュ生地では、強度が小さく、作業服には適さないという問題もがあった。
【０００７】
したがって、本発明の目的は、通気性および遮光性を兼ね備え、かつ、強度の大きいメッシュ生地およびメッシュ衣服を提供するにある。
【課題を解決するための手段】
【０００８】
上記目的を達成するため、請求項１記載のメッシュ生地は、編物により構成されたグランド部分と、該グランド部分で囲まれたメッシュホール部分と、該メッシュホール部分に配置された複数本の横断糸とを備え、通気度が１００ｃｃ／平方センチメートル／ｓｅｃ以上、紫外線遮蔽率が８０％以上であることを特徴とするものである。
【０００９】
請求項２記載のメッシュ生地は、前記横断糸は、異なる方向に配置してこれらを交差させて格子状とするものである。
【００１０】
請求項３記載のメッシュ生地は、前記グランド部分がフロント糸、バック糸および第２のミドル糸により構成され、前記横断糸がミドル糸で構成された４層構造とするものである。
【００１１】
請求項４記載のメッシュ生地は、引裂強力が７Ｎ×７Ｎ以上としたものである。
【００１２】
また、請求項４記載のメッシュ生地は、破裂強力が３００ｋＰａ以上としたものである。
【００１３】
本発明のメッシュ衣服は、請求項１ないし４のいずれかに記載のメッシュ生地により構成されたことを特徴とするものである。
【発明の効果】
【００１４】
本発明のメッシュ生地によれば、メッシュホール部分に、グランド部分から出た複数本の横断糸を配置した構成としたので、メッシュホール部分による通気性の確保とともに、横断糸により遮光性を持たせることができ、通気性および遮光性に優れたメッシュ生地が得られる。さらにまた、横断糸により生地全体が補強され、しわや引っ張り力に対して強度の大きいメッシュ生地が得られる。
【００１５】
また、本発明のメッシュ衣服によれば、横断糸による遮光効果により、直射日光による体温上昇が抑制されるとともに、体温により発生した熱気を帯びた湿気はメッシュホール部分から発散し、衣服内で滞留することが避けられるため、遮光効果と通気効果があいまって冷却効果に優れるとともに、横断糸により補強され、強度が大きいため、屋外での作業服に最適のメッシュ衣服が得られる。
【図面の簡単な説明】
【００１６】
【図１】本発明のメッシュ生地の一実施形態を示す表面の拡大図である。
【図２】本発明のメッシュ生地の他の実施形態を示す表面の拡大図である。
【図３】本発明のメッシュ生地を製造する上でのワープニット設計表である。
【図４】本発明のメッシュ生地の編組織図である。
【図５】本発明のメッシュ生地の編成図である。
【図６】本発明のメッシュ生地を使用した製品について通気度を試験した結果を示す図表である。
【図７】本発明のメッシュ生地と従来のメッシュ生地および一般的な夏服の紫外線遮蔽率および紫外線透過率を試験した結果を示す図表である。
【図８】本発明のメッシュ生地で作られたメッシュ衣服の一実施形態を示す正面図である。
【発明を実施するための形態】
【００１７】
以下、本発明の一実施形態を図面に基づいて説明する。
図１は、本発明のメッシュ生地の表面の拡大図であって、メッシュ生地１は、丸編や経編などのニット又は織物で形成されたもので、このような編織物からなるグランド部分２と、メッシュホール部分３と、グランド部分２から出てメッシュホール部分３に配置された複数本の横断糸４とから構成されるものである。なお、図示の例では、横断糸４はメッシュホール部分３に横方向に配置された構成を示しているが、衣服として使用時には、横断糸４は縦方向あるいは斜め方向に向くこともあり、横断糸４の配置方向は不定であるため、いかなる配置方向であっても横断糸という用語に含むものとする。また、図２に示すように、方向の異なる２種の横断糸４、４´を交差させて格子状とすることも可能である。このように、メッシュホール部分３に、横断糸４を設けることにより、通気性を損うことなく、遮光性、透け防止に優れ、かつ横断糸４により補強されるため、強度の大きいメッシュ生地を構成することができる。
【００１８】
グランド部分２を構成する糸の素材としては、合成繊維でも天然繊維でもよいが、メッシュホール部分を通過する気流のホース効果の点からは、グランド部分の主体は、毛羽のない合成繊維が好ましい。合成繊維としては、ポリエステル繊維、ポリアミド繊維、アクリル繊維、ポリオレフィン繊維、ポリウレタン繊維、ポリイミド繊維などが例示され、これらの合成繊維を単独もしくは組み合わせて、編織物を製造する。より具体的には、グランド部分を構成する糸は、セミダルウーリー加工糸、およびカーボン糸が好適であり、横断糸としてはフルダル糸が好適に使用される。
【００１９】
前述のように、屋外で活動する人にとって、「暑い」という感覚は、直射日光などによる外気温度の上昇と、体内の熱湿気が衣服内で滞留することにより生じるので、本発明のメッシュ生地を使用したメッシュ衣服では、直射日光を遮る遮光性と、熱湿気を逃し得る通気性を兼ね備えるように構成されている。
【００２０】
通気性を持たせるために、本発明のメッシュ生地１には、気流の通り道となるメッシュホール部分３が設けられ、かつ、遮光性を持たせるとともに強度を高めるために、メッシュホール部分３に横断糸４を配置したものである。
【００２１】
本発明のメッシュ生地１のグランド部分２の肌面側に凹凸を形成させることが好ましい。この肌面側に形成させた凹凸により、肌離れ性を高めることで、乱流の発生を促し、冷却感を持続させることができる（乱流効果）。すなわち、生地の肌面側に凹凸を形成させると、その肌離れ性により、生地が肌にくっつくことによる衣服内空間の破壊が防ぐことができる。また、肌面側にある凹凸が、衣服内に発生した気流を強く乱すため、静止空気層を動かし易くなる。これら生地の肌面側の凹凸は、織編組織により作ってもかまわないし、樹脂からなるドットプリントなどにより、形成させてもよい。
【００２２】
本発明により得られた生地は、抗菌防臭加工や消臭加工、ＵＶカット加工、帯電防止加工、保湿加工、涼感加工、芳香加工、防虫加工、難燃加工など、種々の機能加工と組み合わせてもよい。
【００２３】
図３は、本発明のメッシュ生地を製造する上でのワープニット設計表の一例を示している。
図４は、同ワープニット設計表に基づくメッシュ生地の編組織であって、左から、フロント（Ｆ）、ミドル(Ｍ´)、ミドル第２(Ｍ)、バック(Ｂ)の各筬の編組織を示している。
【００２４】
図５は、フロント（Ｆ）、バック(Ｂ)、ミドル(Ｍ´)およびミドル第２(Ｍ)の各筬の編組織例を示している。フロント（Ｆ）、ミドル第２(Ｍ)、バック(Ｂ)の各筬により、メッシュ生地のグランド部分２（メッシュホール部分３を囲む部分）を編成し、ミドル(Ｍ´)の筬によりメッシュホール部分３を横断する横断糸４（一部のみ図示している）を形成している。
【００２５】
次に、代表的な実施例を示し、本発明を具体的に説明する。但し、本発明はこの実施例に限定されるものではない。
【実施例】
【００２６】
トリコット編機（１３６インチ、２８ゲージ）を用い、下記の糸使い、条件でディンプルメッシュを編成、加工し、コース密度５７コース／インチ、ウエール密度３１ウエール／インチ、目付２６８ｇ／ｍの８ディンプルメッシュ生地を得た。
【００２７】
（１）糸使い、条件
Ｆ（フロント）オサ
・糸        ：ポリエステル（８４ｄｔｅｘ、３６フィラメント：セミダル）
・糸配置    ：３イン  １アウト
・ランナー  ：１４５ｃｍ／４８０コース
・編組織    ：３：４／３：２／３：４／３：２／１：０／１：２／１：０／１：２／
Ｍ´（ミドル）オサ
・糸        ：Ｂ（８４ｄｔｅｘ、３６フィラメント：フルダル）
・糸配置    ：２アウト２イン
・ランナー  ：１８０ｃｍ／４８０コース
・編組織    ：０：０／５：５／０：０／３：３／７：７／２：２／７：７／４：４／
Ｍ（ミドル第２）オサ
・糸          ：ポリエステル丸断面カーボン糸（２２ｄｔｅｘ）
・糸配置      ：１（２本）イン３アウト
・ランナー    ：６３ｃｍ／４８０コース
・編組織      ：４：４／２：２／４：４／２：２／０：０／２：２／０：０／２：２／
Ｂ（バック）オサ
・糸          ：ポリエステル（８４ｄｔｅｘ）３６フィラメント：セミダル
・糸配置      ：１アウト３イン
・ランナー    ：１３５ｃｍ／４８０コース
・編組織      ：１：０／１：２／１：０／１：２／３：４／３：２／３：４／３：２／
【００２８】
（２）加工条件
得られた生機を連続精練機で精練し、通常の方法で、プレセットを実施した後、染色を行い染色後の生地に吸水加工処理を行い、１７０℃×４５秒で仕上げセットを行った。
【００２９】
図１は、実施例で得られた生地１の表面の拡大図であって、略菱形のメッシュホール部分３を囲むように生地のグランド部分２が経編組織により形成され、このメッシュホール部分３にミドルM´の筬によりつくられた横断糸４が設けられている。実施例で得られたメッシュ生地１は、１０平方センチメートルの大きさの生地の中に１６８２個のメッシュホール部分３が存在している。
【００３０】
図６は、上記実施例で作成された本発明のメッシュ生地を使用したシャツ・パンツについて、引裂強力、破裂強力および通気度を試験した結果を示す図である。同図で明らかなように、引裂強力は７Ｎ×７Ｎ、破裂強力は３００ｋＰａ、通気度は、２２３ｃｃ／平方センチメートル／ｓｅｃであった。すなわち、通気度は、目標とする１００ｃｃ／平方センチメートル／ｓｅｃを上回るとともに、作業着として必要な引裂強力および破裂強力が得られた。
【００３１】
上記実施例では、横断糸４は横向きであるが、前述のように縦向きでも斜め向きでも、あるいは格子状のいずれでもよい。
【００３２】
図７は、本発明に係るメッシュ生地（本発明品）の紫外線遮蔽率および紫外線透過率を試験した結果を示している。なお、比較例１として横断糸を有しない従来の一般的なメッシュ素材、比較例２として平織夏物素材、比較例３としてピケ夏物素材についても同様の試験を行った結果も示している。同図で明らかなように、本発明品は、比較例２および３とほぼ同等の紫外線遮蔽率および紫外線透過率を有することが確かめられた。また、従来の一般的なメッシュ素材（比較例１）は、本発明品に比べて紫外線遮蔽率が小さく、紫外線透過率が大きいことが確かめられた。
【００３３】
図８は、全体が本発明のメッシュ生地１で作られたメッシュ衣服の一例である作業服の一実施形態を示す正面図である。
【００３４】
図示の作業服１０は、前部左右には前身ごろ１１、後部には背部１２、上部に襟部１３、両側には袖部１４が形成され、前身ごろ１１には、前ポケット１５が形成されている。この作業服は、全体が図１に示すようなメッシュ生地１により形成されている。必要に応じて、脇下部分や袖口部分などの皺が生じやすい部分には補強布１６をあてがうことも可能である。本発明のメッシュ生地１を使用した作業服１０は、通気性および遮光性に優れるとともに、横断糸４により補強されため、強度が大きく、炎天下での労働に適した作業服が得られる。
【符号の説明】
【００３５】
１    メッシュ生地
２    グランド部分
３    メッシュホール部分
４    横断糸
１１    メッシュ衣服
Ｆ    フロント筬
Ｍ´    ミドル筬
Ｍ    ミドル第２筬
Ｂ    バック筬
【図１】
0005478405.tif 000002
【図２】
0005478405.tif 000003
【図３】
0005478405.tif 000004
【図４】
0005478405.tif 000005
【図５】
0005478405.tif 000006
【図６】
0005478405.tif 000007
【図７】
0005478405.tif 000008
【図８】
0005478405.tif 000009